(57)【要約】【課題】金属ロール体から切り出された帯状部分を折り返す場合に、その折り返しの線を予め形成して、折り返す長さを略一定にすることができるとともに、切刃の突出長さを短くしても、容易に切断することができる金属ロール体の収容箱を提供すること。【解決手段】箱体３０の開口部３６を形成する部分に、予め略コ字状のミシン目を形成しておくとともに、このミシン目の両端部を結ぶ線を折り返し線ＡＬとし、この折り返し線ＡＬに沿って山折りされた舌片の先端部４２，４４を、前記ミシン目と反対側に形成されたスリット４６，４８内に差し込むことにより、前記折り返し線の上方域に、略三角形状の突条５２を形成したことを特徴とする。【選択図】  図５
2004299750.tif 000002
【特許請求の範囲】
【請求項１】
略直方体形状の箱体内に帯状の金属箔が巻回された金属ロール体を収容し、その金属ロール体の先端を前記箱体に形成された開口部から引き出すとともに、この引き出された帯状部分を前記箱体に設置された切刃により切断する金属ロール体の収容箱であって、
前記箱体の前記開口部を形成する部分に、予め略コ字状のミシン目を形成しておくとともに、このミシン目の両端部を結ぶ線を折り返し線とし、この折り返し線に沿って山折りされた舌片の先端部を、前記ミシン目と反対側に形成されたスリット内に差し込むことにより、前記折り返し線の上方域に、略三角形状の突条を形成したことを特徴とする金属ロール体の収容箱。
【請求項２】
前記箱体内に収容された前記金属ロール体は、前記箱体内に収容された軸受部材により回動自在に支持されており、かつこの軸受部材の底面には、前記金属ロール体を上方に押し上げる弾性片が設けられていることを特徴とする請求項１に記載の金属ロール体の収容箱。
【発明の詳細な説明】
【０００１】
【発明の属する技術分野】
本発明は、金属ロール体の収容箱に関し、詳しくは、美容院などで毛染めの道具として使用されるアルミホイルを収容するのに好適な金属ロール体の収容箱に関する。
【０００２】
【従来の技術】
例えば、生鮮食料品などを包装する目的で、いわゆるアルミホイルが広く使用されている。
このようなアルミホイルは、円筒状の芯部材に帯状の金属箔がロール状に巻き付けられた状態で使用されるのが一般的である。このようなアルミホイルは食品の包装用だけではなく、例えば、美容院などで毛染めを行う場合の、下敷きとして使用する場合がある。
【０００３】
図６は、このように美容院で使用されている従来のアルミホイル１０を示したものである。
なお、本明細書においては、アルミの箔をロール状に巻回した金属ロール体２を、箱体の中に収納した状態のものを「アルミホイル」として説明する。
すなわち、図６に示したアルミホイル１０は、アルミの箔を多量に巻回した金属ロール体２と、この金属ロール体２を収容している紙製の収容箱４とから構成され、金属ロール体２は、筒状の芯部材５に巻回されている。
【０００４】
そして、金属ロール体２から引き出された帯状部分２０は、図７に示したように、収容箱４の開口部を覆う蓋板部１２の略中央に形成された開口部１４から外方に引き出された後、収容箱４に一体的に設けられた切刃１８により所定の長さに切断されている。
【０００５】
【発明が解決しようとする課題】
ところで、このようなアルミホイル１０を美容院で毛染めの道具として使用する場合は、図８（Ａ），（Ｂ）に示したように、先ず先端側の帯状部分２０を金属ロール体２から切断した後、帯状部分２０の先端に折り目２０ａを形成し、この折り目２０ａから折り返して、先端部分を２枚重ねにして使用している。このように先端部分を折り返せば、帯状部材２０に、いわゆる腰ができるため、使用勝手が良好になる。
【０００６】
したがって、従来、美容院でアルミホイル１０を用いる場合は、先ずアルミの帯状部分２０を切り出した後、その先端部分を２枚重ねに折り返す作業が必要であった。
ところが、美容師などが毛染めの作業を行いながら帯状部分２０を折り返すことは、手間であるとともに、折り返す長さがバラバラとなり、時には、必要以上の長さに折り返してしまい、資源を無駄にしてしまうという問題があった。
【０００７】
さらに、切刃１８を用いて帯状部分２０を切断するには、切刃１８がある程度収容箱４の開口端面から突出していないと、うまく切断することができない。反面、切刃１８の突出長さが長すぎると、扱い者が作業中にケガをしてしまう。
本発明はこのような実状に鑑み、毛染めを行う美容師などが金属ロール体から切り出された帯状部分を折り返す場合に、折り返しの手間数を少なくし、かつ、折り返す長さを略一定の長さに設定することができ、さらには、切刃の突出長さを短くしても、容易に切断することができる金属ロール体の収容箱を提供することを目的としている。
【０００８】
【課題を解決するための手段】
上記目的を達成するための本発明は、
略直方体形状の箱体内に帯状の金属箔が巻回された金属ロール体を収容し、その金属ロール体の先端を前記箱体に形成された開口部から引き出すとともに、この引き出された帯状部分を前記箱体に設置された切刃により切断する金属ロール体の収容箱であって、
前記箱体の前記開口部を形成する部分に、予め略コ字状のミシン目を形成しておくとともに、このミシン目の両端部を結ぶ線を折り返し線とし、この折り返し線に沿って山折りされた舌片の先端部を、前記ミシン目と反対側に形成されたスリット内に差し込むことにより、前記折り返し線の上方域に、略三角形状の突条を形成したことを特徴としている。
【０００９】
このような構成によれば、切刃の手前に略三角形状の突条が形成されるので、帯状部分の先端部に、予め一定の長さの折り目を形成することができる。したがって、美容師の手間を少なくすることができる。
また、前記箱体内に収容された前記金属ロール体は、前記箱体内に収容された軸受部材により回動自在に支持されており、かつこの軸受部材の底面には、前記金属ロール体を上方に押し上げる弾性片が設けられていることが好ましい。
【００１０】
このような構成によれば、金属ロール体の巻き径が小さくなってきた場合であっても、その金属ロール体の周面に弾性片が軽く接触するので、金属ロール体の回動動作が防止される。したがって、帯状シートの先端部が箱体内に潜り込んでしまうことがない。
【００１１】
【発明の実施の形態】
以下、図面に示した実施例を参照しながら本発明について説明する。
図１は本発明の一実施例に係る金属ロール体の収容箱を示したもので、具体的には、美容院などで毛染めの道具として使用されているアルミホイルの収容箱を示したものである。
【００１２】
このアルミホイルの収容箱３０は、展開状態で所定形状に連続して形成された厚手の紙を、予め形成された折り目に沿って折り畳んでいくことにより組立られている。そして、この収容箱３０内には、図２に示したように、筒状の芯材５４にアルミの箔が多量に巻回された金属ロール体４０が、紙製の軸受部材５０に回動自在に支持されている。
【００１３】
この収容箱３０における開閉自在な蓋板部３４には、金属ロール体の先端部を引き出すためのミシン目が所定範囲に形成されている。すなわち、このようなミシン目を切り開くことにより、図３に示したように、金属ロール体４０の帯状部分２０を引き出すための開口部３６が形成される。
このミシン目は、図１および図４に示したように、蓋板部３４の点Ａ，Ｂ，Ｃ，Ｄ…Ｋ，Ｌを結ぶ範囲に形成されている。そして、このように略コ字状に形成されたミシン目の両端部を結ぶ直線ＡＬは、ミシン目を開いた時の折り返し線とされている。
【００１４】
一方、折り返し線ＡＬの右方には、点Ｍ，Ｎ，Ｏ，Ｐおよび点Ｑ，Ｒ，Ｓ，Ｔを結ぶ範囲に、略コ字状のスリットが形成されている。そして、このスリット４６，４８は、ミシン目Ｃ，Ｄ，Ｅ，Ｆおよびミシン目Ｇ，Ｈ，Ｉ，Ｊに対応した形状に形成されている。
さらに、線ＡＢと線ＬＫを横断する線ＵＶは、図３に示したように、使用状態としたときに、山となるように折り返される。
【００１５】
このようなミシン目が予め形成された収容箱３０は、図１の姿勢で出荷され、使用場所において、ミシン目が切り開かれる。
すなわち、点Ａ，Ｂ，Ｃ，Ｄ…Ｋ，Ｌに沿ってミシン目が切り開かれるとともに、切り開かれた部分を、図４の紙面上方に折り返す。そして、折り返された舌片の先端部４２，４４を点Ｍ，Ｎ，Ｏ，Ｐおよび点Ｑ，Ｒ，Ｓ，Ｔで形成されるスリット４６，４８内に差し込むことにより、図３に示した姿勢とされる。
【００１６】
このような使用状態では、切刃１８と開口部３６との間に、断面三角形状の突条５２が切刃１８と略平行に形成される。なお、突条５２の裾部（スリット４６，４８）と切刃１８との距離は、略１ｃｍ程度である。これにより、帯状部分２０の折り返しの幅が定められている。また、切刃１８は、収容箱３０の側板の内側に若干隙間を開けて取り付けられている。そして、アルミホイルを使用状態となるように、ミシン目を開いた蓋板部３４を収容箱３０に差し込む場合は、切刃１８が外部に露出するように、その蓋板部３４の先端部を、切刃１８よりも箱体の内側に挿入する。
【００１７】
一方、図２に示したように、金属ロール体４０は、筒状の芯材５４の外周に巻回されている。そして、この芯材５４は巻回部４０ａの幅Ｓよりも長く形成されている。
他方、金属ロール体４０の両端部を回動自在に支持する軸受部材５０は、収容箱３０の場合と同様に、展開状態で一続きの紙製の板体が、予め形成された折り目に沿って所定の形状に折り畳まれることにより、図２に示したように、両端部に略矩形の台座５８，５８が具備された軸受部材５０が構成されている。また、この軸受部材５０では、両端部の台座５８，５８間を連結する底板６０の一辺から、弾性片６４が片持ち状態に突出されている。
【００１８】
このような片持ち状態の弾性片６４は、自然状態では、図２に示した姿勢よりも、さらに立ち上がる方向に傾斜した姿勢になっている。また、台座５８の内面には、それぞれ孔６２が形成されている。そして、この孔６２に、上記した芯材５４の両端部５４ａ，５４ａが回動自在に支持されている。
このように、芯材５４の両端部５４ａ，５４ａが軸受部材５０の内面の孔６２，６２内に差し込まれることにより、金属ロール体４０が軸受部材５０に回動自在に支持される。このとき、金属ロール体４０の下面に位置する弾性片６４は、金属ロール体４０の巻回部４０ａを下方から上方に向かって押圧する。したがって、弾性片６４は、金属ロール体４０にブレーキとして作用するので、金属ロール体４０の不用意な回動を防止することができる。これにより、金属ロール体４０の巻き径が少なくなったとしても、切断後などに不用意に回動してしまうことはない。したがって、本実施例によれば、巻き径の残量に係わり無く、帯状部分２０の先端部を持って容易に引き出すことができる。
【００１９】
本実施例による金属ロール体の収容箱３０は、上記のように構成されているが、以下に作用について説明する。
先ず、金属ロール体の収容箱３０は、出荷の時点では、ミシン目が未だ開かれておらず、蓋板部３４に開口部３６は形成されていない。したがって、収容箱３０内の内部に塵埃などが侵入することはない。よって、衛生的に管理することができる。また、切刃１８も、収容箱３０の蓋板部３４内で保護されている。すなわち、蓋板部３４の先端部は、切刃１８の外側に形成された本体との間の隙間に差し込まれている。したがって、取扱い者が切刃１８でケガをするようなことはない。
【００２０】
次いで、美容院などで収容箱３０が使用状態にされる。
その場合には、先ず、蓋板部３４を収容箱３０の本体側から完全に開いた状態とし、ミシン目に沿って切り開いていく。そして、図１に示した折り返し線ＡＬから直線ＵＶが山となるように折り返し、折り返された舌片の先端部４２，４４を反対側のスリット４６，４８内に差し込むことにより、断面略三角形状の突条５２を形成する。この状態にしてから、蓋板部３４の先端部を切刃１８の内側に挿入し、切刃１８を外部に露出させる。
【００２１】
なお、蓋板部３４を切刃１８の内側に差し込んだ場合に、図２に示したように、内方の軸受部材５０の天井面７４，７４は斜めに傾斜していることから、これに当接する蓋板部３４は、図３に示したように、通常より、内方に傾斜して収容される。これにより、切刃１８が、相対的に外方に突出することになる。そして、ミシン目を切り開いて形成された開口部３６から金属ロール体４０の帯状部分２０を引き出して、その後、帯状部分２０を断面略三角形状の突条５２を経由して、切刃１８に導いて、この切刃１８で切断する。このとき、金属ロール体４０の外周面を軽く指で押えることもできる。
【００２２】
このようにして切断されたシート状の帯状部分２０の先端部（この場合、後端部）には、突条５２により、図８（Ａ）に示した場合と同様の折り目２０ａが形成される。したがって、切り出された帯状部分２０には、予めこの折り目２０ａが具備されることになる。よって、美容師は、常に、この折り目２０ａのついた箇所に着目して指で押えれば、先端側を容易に折り返すことができる。
【００２３】
本実施例によれば、切断された帯状部分２０に、予め折り目２０ａが形成されているので、折り返す長さにバラツキが発生することはない。また、全く新たな折り返し線を形成する場合のように、折り返し線が斜めになってしまうこともない。
ここで、蓋板部３４および収容箱３０の側面外周などに、予め図１に示したような目盛り８０を印刷しておけば、引き出された帯状部分の長さを目測することができる。したがって、所望とする長さに切断することができるので、経済的である。なお、この目盛りは、５ミリあるいは１センチ単位であっても良い。
【００２４】
また、図５に示したように、金属ロール体の帯状部分自身にも、数字あるいはラインなどの目盛り７０を印刷しておけば、同じ長さで切りそろえることが容易になる。
以上、本発明の一実施例について説明したが、本発明は上記実施例に何ら限定されない。
【００２５】
例えば、上記実施例では、いわゆるアルミホイルとして使用されている金属ロール体の収容箱について説明したが、本発明はこれに限定されず、例えば、ポリエチレン樹脂などから形成された樹脂製のラップの収容箱にも適用可能である。この場合、柔軟な樹脂には、アルミのような半永久的な折り目は形成されないが、先端側を２枚重ねにする場合に有効である。また、ポリエチレン樹脂のシートが角度を付けて切刃１８に案内されるので、切断力が向上する。
【００２６】
さらに、金属ロール体４０はアルミの箔に限定されず、他の金属にも適用可能である。また、切刃１８の位置は、収容箱３０の下面などに設置することもできる。また、この切刃１８は、樹脂製あるいは金属製のいずれであっても良い。
さらに、金属ロール体４０を回動自在に支持する軸受部材５０の形状は、上記実施例に何ら限定されない。また、弾性片６４も、上方に向かって押上げ力を発揮するものであれば、上記実施例の形状に何ら限定されない。
【００２７】
また、上記実施例の収容箱３０ならびに軸受部材５０は、一枚の紙を折り返して形成したが、一枚の紙に限定されず、２枚、３枚の紙の組み合わせて形成することもできる。さらに、収容箱３０ならびに軸受部材５０を、紙に代えて合成樹脂などから形成しても良い。このようにすれば、消耗品である金属ロール体４０をカセット式に収納することもできる。また、収容箱３０を繰り返し使用することもできる。さらに、紙の場合と同様に、適宜な色に着色すれば、バラエティに富んだ色彩を楽しむことができる。
【００２８】
また、上記実施例では、美容院で使用されるアルミホイルについて説明したが、勿論、他の用途、他の場所で用いる場合も有効である。
【００２９】
【発明の効果】
以上説明したように、本発明に係る金属ロール体の収容箱によれば、金属ロール体の帯状部分を切断するときに、切断と同時に常に一定長さの折り目を形成することができる。したがって、美容院で毛染めを行う美容師などは、この折り目に沿って折り返せば、常に一定長さの折り返し部分を形成することができる。また、予め仮の折り目が形成されていることから、その後の折り返し作業も容易に行うことができる。したがって、作業の便が図れる。
【００３０】
さらに、軸受部材に弾性片を設ければ、この弾性片が常に金属ロール体のブレーキとして作用するので、金属ロール体の不用意な回動を防止することができる。
したがって、金属ロール体から切断された帯状部分の先端部が、切断後に箱の中に潜り込んでしまうようなことがない。これにより、残量にかかわりなく、帯状部分を容易に引き出すことができる。
【図面の簡単な説明】
【図１】図１は本発明の一実施例に係る金属ロール体の収容箱を示した斜視図である。
【図２】図２は図１に示した収容箱の内部に収容されている金属ロール体とその軸受部材の分解斜視図である。
【図３】図３は図１に示した収容箱の使用状態を示した斜視図である。
【図４】図４は図１に示した収容箱の蓋板部に設けられたミシン目付近の拡大図である。
【図５】図５は図３に示した収容箱を背面側から見たときの斜視図である。
【図６】図６は従来の収容箱の蓋板部を開いてみたときの斜視図である。
【図７】図７は使用状態にした従来の収容箱の斜視図である。
【図８】図８（Ａ）は美容院などで使用されている従来のアルミホイルに折り目を付けたときの斜視図、図８（Ｂ）は、折り返したときの斜視図である。
【符号の説明】
１８        切刃
２０        帯状部分
３０        収容箱
３４        蓋板部
３６        開口部
４０ａ      巻回部
４０        金属ロール体
４２，４４  舌片の先端部
４６，４８  スリット
５０        軸受部材
５２        突条
６４        弾性片
ＡＬ        折り返し線
【図１】
2004299750.tif 000003
【図２】
2004299750.tif 000004
【図３】
2004299750.tif 000005
【図４】
2004299750.tif 000006
【図５】
2004299750.tif 000007
【図６】
2004299750.tif 000008
【図７】
2004299750.tif 000009
【図８】
2004299750.tif 000010